(57)【要約】【課題】故障の原因を容易に特定することができ、修理日数の短縮及び修理費用の低減を行うことができる交換レンズを提供する。【解決手段】超音波モータ（ＳＷＭ），ブレ補正アクチュエータの異常検出及び履歴記憶と、電源系の異常検出及び履歴記憶と、装着されたカメラボディの検出及び履歴記憶とをレンズＣＰＵ８及び不揮発メモリ９により行う。修理時には、記憶しておいた履歴を外部装置３００を用いて読み出して、故障原因を特定する。【選択図】                図１
2004252139.tif 000002
【特許請求の範囲】
【請求項１】
撮影光学系と、
カメラボディに接続されるマウント部と、
動作の履歴を記憶する履歴記憶部と、を備える交換レンズ。
【請求項２】
請求項１に記載の交換レンズにおいて、
交換レンズの動作に異常が生じたことを検出する異常状態検出回路を備え、
前記履歴記憶部は、前記異常状態検出回路が異常状態を検出したときにその履歴を記憶すること、を特徴とする交換レンズ。
【請求項３】
請求項２に記載の交換レンズにおいて、
前記履歴記憶部は、前記異常状態検出回路が電源の異常状態を検出したときにその履歴を記憶すること、を特徴とする交換レンズ。
【請求項４】
請求項２に記載の交換レンズにおいて、
駆動力を発生するアクチュエータを備え、
前記履歴記憶部は、前記異常状態検出回路が前記アクチュエータの駆動異常を検出したときにその履歴を記憶すること、を特徴とする交換レンズ。
【請求項５】
請求項１に記載の交換レンズにおいて、
前記履歴記憶部は、カメラボディへの装着履歴を記憶すること、を特徴とする交換レンズ。
【請求項６】
請求項１から請求項５までのいずれか１項に記載の交換レンズにおいて、
前記履歴記憶部は、不揮発性記憶部に履歴を記憶すること、を特徴とする交換レンズ。
【請求項７】
請求項１から請求項６までのいずれか１項に記載の交換レンズにおいて、
前記履歴記憶部が記憶した履歴を外部から読み出すことができる通信手段を有すること、を特徴とする交換レンズ。
【発明の詳細な説明】
【０００１】
【発明の属する技術分野】
本発明は、カメラボディに対して着脱自在な交換レンズに関するものである。
【０００２】
【従来の技術】
カメラ等の撮影装置は、高機能化、多機能化等が進み、多数の部品により多数の動作が組み合わせられて行われるようになり、故障などが発生した場合に、故障原因を特定することが困難になっている。
そこで、従来から、カメラなどの撮影装置において、異常状態を検出し、その内容を記憶したり、表示したりする装置が提案されている（例えば、特許文献１〜３参照）。
【０００３】
一方、カメラボディと組み合わせて使う交換レンズにおいて、レンズ内オートフォーカス（以下、ＡＦ）モータ制御およびブレ補正機能等を備えた高機能な交換レンズが普及してきており、交換レンズ内でのアクチュエータの数も増加している。それに伴い、消費電力も増加の一途をたどっている。
【０００４】
【特許文献１】
特許第２８７１３９１号公報
【特許文献２】
特開平１１−１４９１１３号公報
【特許文献３】
特開２００１−１０９０３０号公報
【０００５】
【発明が解決しようとする課題】
消費電力が増加してくると、アクチュエータの同時駆動や、電池消耗時の電圧降下時に、制御回路部の電源電圧が動作保証電圧を一瞬下回るおそれがあった。
制御回路部の電源電圧が動作保証電圧を下回ると、動作不定となったり、リセットされた状態となったりして、通常の使用ができなくなる。
交換レンズは、様々なカメラボディに対して装着することができるが、カメラボディの電源供給能力は、カメラボディの種類により異なっている場合があり、特に古いカメラボディでは、十分な電力を供給できない場合が多い。したがって、交換レンズでは、カメラなどの撮影装置に比べて上述の電圧降下が生じる可能性が高い。
【０００６】
また、交換レンズにブレ補正機能など、新しい機能が追加されて来ているが、古いカメラボディに装着した場合には、交換レンズに備わる新しい機能を利用できない場合もある。
このように、交換レンズでは、装着するカメラボディにより、電圧降下により動作が不定となったり、一部の機能が制限されたりする。これらの現象は、製品の仕様であり、故障ではないが、使用者が交換レンズの故障であると思い、修理を依頼する場合もある。この場合、製品を調べても故障が発見できず、対応に多くの時間が掛かってしまうという問題があった。
【０００７】
さらに、高機能化、多機能化等が進んだ交換レンズでは、ある特定の条件下においてのみ再現する故障が発生することがあり、修理時に故障原因の特定が困難となり、修理に掛かる時間及び費用が大きくなるという問題があった。
【０００８】
本発明の課題は、故障の原因を容易に特定することができ、修理日数の短縮及び修理費用の低減を行うことができる交換レンズを提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影光学系と、カメラボディ（２００）に接続されるマウント部と、動作の履歴を記憶する履歴記憶部（８，９）と、を備える交換レンズである。
【００１０】
請求項２の発明は、請求項１に記載の交換レンズにおいて、交換レンズの動作に異常が生じたことを検出する異常状態検出回路（１２，１８，１９）を備え、前記履歴記憶部（８，９）は、前記異常状態検出回路が異常状態を検出したときにその履歴を記憶すること、を特徴とする交換レンズである。
【００１１】
請求項３の発明は、請求項２に記載の交換レンズにおいて、前記履歴記憶部（８，９）は、前記異常状態検出回路（１２）が電源の異常状態を検出したときにその履歴を記憶すること、を特徴とする交換レンズである。
【００１２】
請求項４の発明は、請求項２に記載の交換レンズにおいて、駆動力を発生するアクチュエータを備え、前記履歴記憶部（８，９）は、前記異常状態検出回路（１８，１９）が前記アクチュエータの駆動異常を検出したときにその履歴を記憶すること、を特徴とする交換レンズである。
【００１３】
請求項５の発明は、請求項１に記載の交換レンズにおいて、前記履歴記憶部（８，９）は、カメラボディへの装着履歴を記憶すること、を特徴とする交換レンズである。
【００１４】
請求項６の発明は、請求項１から請求項５までのいずれか１項に記載の交換レンズにおいて、前記履歴記憶部（８，９）は、不揮発性記憶部（９）に履歴を記憶すること、を特徴とする交換レンズである。
【００１５】
請求項７の発明は、請求項１から請求項６までのいずれか１項に記載の交換レンズにおいて、前記履歴記憶部（８，９）が記憶した履歴を外部から読み出すことができる通信手段（６）を有すること、を特徴とする交換レンズである。
【００１６】
【発明の実施の形態】
以下、図面等を参照しながら、本発明の実施の形態について、更に詳しく説明する。
図１は、本発明による交換レンズの実施形態を示すブロック図である。
本実施形態における交換レンズ１００は、不図示のマウント部によりカメラボディ２００に対して着脱自在な交換レンズであって、撮影光学系（不図示）の少なくとも一部により形成されているフォーカスレンズ群（不図示）を駆動するＡＦ駆動用の超音波モータ（以下、ＳＷＭ）を備えている。また、交換レンズ１００は、撮影光学系の一部により形成され、光軸に略直交する方向に移動可能なブレ補正光学系（不図示）を駆動してブレ補正動作を行うアクチュエータを備え、さらに、後述するゴーホーム機能を備えた多機能な交換レンズであり、電源の供給手段及び通信手段として機能する接点６によりカメラボディ２００との電気的接続を行っている。
【００１７】
カメラボディ２００内には、電池１，電圧を安定に保つ電源回路２，交換レンズ１００内にパワー系の電源を供給するボディ側パワー電源供給スイッチ５，カメラボディ２００の外部で操作できるボディ側外部操作スイッチ群４，カメラボディ２００内で制御を司るボディＣＰＵ３等が設けられている。
【００１８】
交換レンズ１００内には、レンズＣＰＵ８，レンズ内不揮発メモリ９，フォーカスユニット１１，ブレ補正回路部１９，電源モニタ１２，レンズ側外部操作スイッチ群３０等が設けられている。
【００１９】
レンズＣＰＵ８は、交換レンズ１００内の各種制御を行う部分であり、ボディＣＰＵ３，レンズ内不揮発メモリ９，フォーカスユニット１１，ブレ補正回路部１９，電源モニタ１２，レンズ側外部操作スイッチ群３０等と電気的に接続されている。レンズＣＰＵ８の具体的な動作については、後述する。
【００２０】
レンズ内不揮発メモリ９は、電源切断時にも記憶内容を保持するＥＥＰＲＯＭ等の不揮発性記憶部であり、レンズＣＰＵ８に接続されている。
フォーカスユニット１１は、合焦動作を行うユニットであり、相対距離エンコーダ１０，ｄｉｓｔエンコーダスイッチ１７，ＳＷＭ回路部１８等を有している。
【００２１】
相対距離エンコーダ１０は、不図示のＳＷＭの駆動状態により、２相のパルスをレンズＣＰＵ８に出力する相対距離の位置検出部である。
ｄｉｓｔ（絶対距離）エンコーダスイッチ１７は、フォーカスレンズ群の位置により切り替わる絶対距離（位置）を検出する位置検出部である。
ＳＷＭ回路部１８は、レンズＣＰＵ８の指示により制御され、ＳＷＭを駆動してＡＦ動作を行う回路であり、ＳＷＭの駆動状態をレンズＣＰＵ８に出力する。
【００２２】
ブレ補正回路部１９は、レンズＣＰＵ８の指示により制御され、不図示のブレ補正レンズを駆動してブレ補正動作を行う回路であり、不図示のブレ補正用のアクチュエータの駆動状態をレンズＣＰＵ８に出力する。
【００２３】
電源モニタ１２は、カメラボディ１００から供給されるパワー系の電源電圧値を監視する部分であり、電源電圧が所定の条件を満たさなかった場合に、所定の出力信号をレンズＣＰＵ８に出力する。
これら電源モニタ１２，ＳＷＭ回路部１８，ブレ補正回路部１９は、電源，ＳＷＭ，ブレ補正用のアクチュエータに異常が生じたことを検出する異常状態検出回路としての働きを持っている。
【００２４】
レンズ側外部操作スイッチ群３０は、交換レンズ１００の外部から撮影者が操作可能なスイッチ群であり、ＧｏＨｏｍｅスイッチ７，ＰＲＥスイッチ１３，ＡＦスイッチ１４，ＶＲスイッチ１５，モード設定スイッチ２０等を有している。
ＧｏＨｏｍｅスイッチ７は、このスイッチを操作することにより、予め記憶しておいたフォーカスレンズ群位置にフォーカスレンズ群（不図示）を駆動する（ゴーホーム機能）スイッチである。
【００２５】
ＰＲＥスイッチ１３は、使用者がこのスイッチを操作することにより現在のフォーカスレンズ群の位置を不揮発メモリ９に記憶するスイッチである。このＰＲＥスイッチ１３を操作して記憶した位置が、上述のＧｏＨｏｍｅスイッチ７を操作したときにフォーカスレンズ群が移動する位置となる。
ＡＦスイッチ１４は、使用者の操作によりフォーカスモードの切り替えを行うスイッチである。フォーカスモードには、手動でフォーカス動作を行うＭモードと、基本的にはオートフォーカスであって必要なときにマニュアルフォーカスを行うことができるＭ／Ａモードとが設けられている。
【００２６】
ＶＲスイッチ１５は、使用者の操作によりブレ補正モードの切り替えを行うスイッチである。ブレ補正モードには、通常の手振れを補正する場合に適したノーマルモードと、車上撮影時などのブレ補正に有効に働くアクティブモードとが設けられている。
【００２７】
モード設定スイッチ２０は、レンズ内のその他のモードを設定するスイッチである。
ｚｏｏｍエンコーダスイッチ１６は、ズームレンズ群の位置により切り替わるスイッチであり、ズームレンズ群の位置を検出する位置検出部として機能する。
【００２８】
ここで、レンズＣＰＵ８を中心に、本実施形態における交換レンズ１００の動作について説明する。
本実施形態では、レンズＣＰＵ８は、不揮発メモリ９と組み合わせられて以下に示す履歴を記憶する履歴記憶部として働く。
（ＳＷＭ，ブレ補正アクチュエータの異常検出及び履歴記憶）
ＳＷＭ（ＡＦモータ）又はブレ補正アクチュエータを駆動しているとき、レンズＣＰＵ８は、ＳＷＭ又はブレ補正アクチュエータ、及び、これらを駆動制御する駆動部（以下、これらをまとめて制御対象と呼ぶ）に対して制御信号を出力する。制御信号を受け取った制御対象は、フィードバック制御のための状態信号をレンズＣＰＵ８に出力する。レンズＣＰＵ８は、この状態信号を常時モニタすることにより、制御状態を監視する。
【００２９】
レンズＣＰＵ８は、出力した制御信号に対し予め決められた範囲の状態信号が制御対象から戻ってきていれば、問題なく制御が行えていると判断し、状態信号が、予め決められた範囲から逸脱していれば、制御異常であると判断する。制御異常と判断した場合、レンズＣＰＵ８は、レンズ内不揮発メモリ９に対してその履歴を書き込む。
【００３０】
（電源系の異常検出及び履歴記憶）
パワー系の電源状態は、電源モニタ１２が常に監視をしており、上述のように、電源電圧が所定の条件を満たさなかった場合に、電源モニタ１２は、所定の出力信号をレンズＣＰＵ８に出力する。よって、パワー系の電源状態は、常時レンズＣＰＵ８が電源モニタ１２からの状態信号にてモニタしている。
レンズＣＰＵ８は、予め決められた範囲の状態信号が電源モニタ１２から戻ってきていれば、電源電圧に異常がないと判断し、状態信号が、予め決められた範囲から逸脱していれば、電源電圧異常であると判断する。
電源電圧異常と判断した場合、レンズＣＰＵ８は、レンズ内不揮発メモリ９に対してその履歴を書き込む。
【００３１】
（装着されたカメラボディの検出及び履歴記憶）
レンズＣＰＵ８は、接点６を介してカメラボディ２００に内蔵されているボディＣＰＵ３と通信を行う。この通信の内容により、装着されたカメラボディの種類を特定することができる。装着されたカメラボディの種類が判別したら、レンズＣＰＵ８は、レンズ内不揮発メモリ９に対してそのボディ装着履歴を書き込む。
なお、装着されるカメラボディによっては、電源は供給されるものの、カメラボディの種類に関する情報が得られない場合が考えられるが、そのような場合には、種類不明のカメラボディに装着された旨を履歴として書き込む。
【００３２】
図２は、本実施形態において、交換レンズ１００から履歴に関する情報を読み込む場合を示すブロック図である。
なお、図２では、交換レンズ１００は、説明に必要な部分についてのみ示している。
本実施形態では、交換レンズ１００のレンズ内不揮発メモリ９に記憶された履歴に関する情報を、外部装置３００を接続することにより読み出すことができる。
外部装置３００は、電源３０１，電源回路３０２，外部装置ＣＰＵ３０３，外部装置側外部操作スイッチ群３０４，外部装置側電源供給スイッチ３０５，接点３０６等を備えている。
【００３３】
外部装置３００は、交換レンズ１００と接点３０６を介して電気的に接続される。交換レンズ１００が外部装置３００に接続されると、ＣＰＵ３０３は、レンズＣＰＵ８と通信して不揮発メモリ９に記憶されている履歴に関するデータを読み出し、外部装置３００内の出力装置３０７から、この履歴に関するデータの内容を出力するようになっている。なお、この出力装置３０７は、モニタ画面、データファイル、外部記憶ディスク装置、又は、シリアル出力インターフェイス等、使用環境に合わせて適宜最適なものを選択することができる。
なお、外部装置３００は、交換レンズ１００の修理等を行う場合に使用される特殊な装置であり、通常の使用者（交換レンズ１００の顧客）が利用するものではない。
【００３４】
本実施形態によれば、交換レンズ内の異常状態の履歴及びカメラボディへの装着履歴を交換レンズ内に記憶し、後から外部装置によりこれらの履歴を読み出すことができるので、修理品として持ち込まれた交換レンズがどのような状態で使用され、どのような異常が生じたのかを容易に把握することができ、故障原因の特定を容易にすることができる。
また、カメラボディとの組み合わせが不適切であるなど、故障ではなく使用者の使い方に原因がある場合にも、そのことを容易に知ることができる。
したがって、修理期間の大幅な短縮をすることができ、修理費用も安価にすることができる。
さらに、製品開発時には予期しない使い方、使用条件による故障等が発生した場合、その後の新製品の開発における改善項目として役に立てることもできる。
【００３５】
（変形形態）
以上説明した実施形態に限定されることなく、種々の変形や変更が可能であって、それらも本発明の均等の範囲内である。
例えば、本実施形態において、ＳＷＭ，ブレ補正アクチュエータ，電源系の異常検出及び履歴記憶，装着されたカメラボディの検出及び履歴記憶の全てを行うことができる例を示したが、これに限らず、例えば、これらの内、必要な履歴のみを検出及び記憶するようにしてもよい。
【００３６】
【発明の効果】
以上詳しく説明したように、本発明によれば、以下の効果を奏することができる。
（１）動作の履歴として、電源の異常状態，アクチュエータの駆動異常，カメラボディへの装着履歴を記憶する履歴記憶部を備えるので、交換レンズがどのように使用されたか、どのような異常が発生したか、ということを容易に知ることができ、故障の原因を容易に特定することができ、修理日数の短縮、修理費用の低減をすることができる。また、記憶された履歴は、その後の新製品の開発における改善項目として役に立てることもでき、よりよい製品を開発することができる。
【００３７】
（２）履歴記憶部は、不揮発性記憶部に履歴を記憶するので、交換レンズ単体であって電源供給されていなくとも履歴を保持することができる。
【００３８】
（３）履歴記憶部が記憶した履歴を外部から読み出すことができる通信手段を有するので、修理時などにおける履歴の取り扱いを簡単に行うことができる。
【図面の簡単な説明】
【図１】本発明による交換レンズの実施形態を示すブロック図である。
【図２】本実施形態において、交換レンズ１００から履歴に関する情報を読み込む場合を示すブロック図である。
【符号の説明】
１  電池
２  電源回路
３  ボディＣＰＵ
４  ボディ側外部操作スイッチ群
５  ボディ側パワー電源供給スイッチ
６  接点
７  ＧｏＨｏｍｅスイッチ
８  レンズＣＰＵ
９  不揮発メモリ
１０  相対距離エンコーダ
１１  フォーカスユニット
１２  電源モニタ
１３  ＰＲＥスイッチ
１４  ＡＦスイッチ
１５  ＶＲスイッチ
１６  ｚｏｏｍエンコーダスイッチ
１７  ｄｉｓｔ（絶対距離）エンコーダスイッチ
１８  ＳＷＭ回路部
１９  ブレ補正回路部
２０  モード設定スイッチ
１００  交換レンズ
２００  カメラボディ
３００  外部装置
３０１  電源
３０２  電源回路
３０３  外部装置ＣＰＵ
３０４  外部装置側外部操作スイッチ群
３０５  外部装置側電源供給スイッチ
３０６  接点
【図１】
2004252139.tif 000003
【図２】
2004252139.tif 000004